(57)【要約】【課題】子供や老人などにタッセルが絡みついて、タッセルを房掛けから引き離す方向に所定値以上の荷重がタッセルに作用したときに、タッセルのリング状態を確実に解除する。【解決手段】本発明の接続具１０は、壁又は窓枠に取付けられた房掛け１１とカーテンを束ねるタッセル１２とを分離可能に接続する接続本体１３を備える。タッセル１２を房掛け１１から引き離す方向の所定値以上の荷重がタッセル１２に作用したときに、接続本体１３が房掛け１１又はタッセル１２のいずれか一方又は双方から外れるように構成される。【選択図】図１
2015142704.tif 000002
【特許請求の範囲】
【請求項１】
壁又は窓枠に取付けられた房掛けとカーテンを束ねるタッセルとを分離可能に接続する接続本体を備えた接続具であって、
前記タッセルを前記房掛けから引き離す方向の所定値以上の荷重が前記タッセルに作用したときに、前記接続本体が前記房掛け又は前記タッセルのいずれか一方又は双方から外れるように構成されたことを特徴とする接続具。
【請求項２】
前記接続本体が弾性変形可能なリング状、略Ｃ字状又は略ε字状に形成されかつ単一の切離し部を有し、
前記タッセルを前記房掛けから引き離す方向の所定値以上の荷重が前記タッセルに作用したときに、前記切離し部の両端が前記房掛けの外周面又は前記タッセルの外周面に沿って互いに離れる方向に弾性変形し、かつ前記切離し部が前記房掛け又は前記タッセルから離れたときに前記切離し部の両端が前記接続本体の弾性力により互いに近付いてリング状、略Ｃ字状又は略ε字状に復帰するように構成された請求項１記載の接続具。
【請求項３】
前記接続本体が弾性変形可能なリング状、略Ｃ字状又は略ε字状に形成されかつ単一の切離し部を有し、
前記接続本体に紐遊挿部が一体的に設けられ、
前記接続本体が前記房掛けに遊嵌され、
前記紐遊挿部に前記タッセルのリング紐が遊挿され、
前記タッセルを前記房掛けから引き離す方向の所定値以上の荷重が前記タッセルに作用したときに、前記タッセルが前記紐遊挿部から離脱せずに、前記接続本体が前記房掛けから離脱するように構成された請求項１記載の接続具。
【請求項４】
前記接続本体がリング状に形成され、
前記接続本体に被係止部材が一体的に設けられ、
前記被係止部材に係止部材が離脱可能に係止し、
前記接続本体が前記房掛けに遊嵌され、
前記係止部材に前記タッセルのリング紐が遊挿され、
前記タッセルを前記房掛けから引き離す方向の所定値以上の荷重が前記タッセルに作用したときに、前記係止部材が前記被係止部材から離脱するように構成された請求項１記載の接続具。
【請求項５】
前記接続本体がリング状又は略Ｃ字状に形成され、
前記タッセルのリング紐を解放可能に保持する紐保持部材が前記接続本体に取付けられるか又は前記接続本体と一体的に設けられ、
前記接続本体が前記房掛けに遊嵌され、
前記紐保持部材により前記タッセルのリング紐が保持され、
前記タッセルを前記房掛けから引き離す方向の所定値以上の荷重が前記タッセルに作用したときに、前記リング紐が前記紐保持部材から解放されるように構成された請求項１記載の接続具。
【請求項６】
前記タッセルを前記房掛けから引き離す所定値以上の荷重が荷重調整装置により調整可能に構成された請求項１ないし５いずれか１項に記載の接続具。
【請求項７】
壁又は窓枠に取付けられた房掛けに分離可能に接続する接続本体を備えた接続具が縫い付けられかつカーテンを束ねるタッセルであって、
前記接続本体が弾性変形可能なリング状、略Ｃ字状又は略ε字状に形成されかつ単一の切離し部を有し、
前記接続本体に縫製部が一体的に設けられ、
前記接続本体が前記房掛けに遊嵌され、
両端に前記縫製部が縫い付けられ、
前記房掛けから引き離す方向の所定値以上の荷重が作用したときに、前記接続本体が前記房掛けから離脱するように構成された
ことを特徴とするタッセル。
【請求項８】
前記タッセルを前記房掛けから引き離す所定値以上の荷重が荷重調整装置により調整可能に構成された請求項７記載のタッセル。
【発明の詳細な説明】
【技術分野】
【０００１】
本発明は、壁等に取付けられた房掛けとカーテンを束ねるタッセルとを分離可能に接続する接続具と、この接続具が縫い付けられたタッセルに関するものである。
【背景技術】
【０００２】
従来、ロールスクリーン、ブラインド、カーテン等の日除け部材を懸架する支持枠が窓周面の壁面に配置され、日除け部材を左右又は上下に開閉するために支持枠から垂下されかつ長手方向に急激な力が加わったときに分解する着脱可能な安全具が配置された、日除け部材の操作コードが開示されている（例えば、特許文献１参照。）。
【０００３】
このように構成された日除け部材の操作コードは、操作コードの一部に安全具が介在されたので、操作コードの歩行者、特に子供や老人などへの絡みつきを防止できるようになっている。
【０００４】
一方、壁、窓枠等の固定側に取付けられた取付部と、カーテンを束ねる結束部材（タッセル）の両端に設けられた環部（リング紐）をそれぞれ両端から引抜き可能に挿入して掛止する掛止部とを備えた、カーテン用結束部材の掛止具（房掛け）が開示されている（例えば、特許文献２参照。）。この掛止具では、掛止部の一端が取付部に接離するように掛止部が取付部に回動自在に枢着され、取付部と掛止部との間に掛止部の一端が取付部に当接又は近接するように付勢する弾性部材が設けられる。
【０００５】
このように構成された掛止具では、結束部材の一方の環部を掛止部に掛止するとき、掛止部を押圧し又は引張って枢着部を中心に回転させ、掛止部の下端から環部を掛止部に挿入し、この状態で掛止部の押圧又は引張りを解除する。これにより弾性部材の付勢により掛止部の下端が取付部に係合するので、環部の不測の抜脱のおそれがなく、掛止部の下部に確実に掛止される。なお、他方の環部は掛止部の上部にその上端から離脱可能に掛止される。
【先行技術文献】
【特許文献】
【０００６】
【特許文献１】特開２００３−１８４４５６号公報（請求項１、段落［０００３］、［００１４］、図１及び図２）
【特許文献２】実願昭５６−１４６１４２号（実開昭５８−４９９９３号公報）の明細書及び図面（請求項１、第４頁第６行〜同頁第１６行、第１図〜第３図）
【発明の概要】
【発明が解決しようとする課題】
【０００７】
上記従来の特許文献１に示された日除け部材の操作コードでは、子供や老人などに操作コードが絡みついたときに、安全具が分解して操作コードのリング状態が解除されるので、上記操作コードの絡みつきを確実に解放できる。
【０００８】
一方、上記従来の特許文献２に示されたカーテン用結束部材の掛止具（房掛け）では、結束部材（タッセル）の一方の環部（リング紐）が掛止部の下部に掛止しかつ結束部材の他方の環部が掛止部の上部に掛止した状態で、子供や老人などに結束部材が絡みついて、結束具を掛止具から引き離す方向に荷重が作用したときに、この荷重の作用の仕方によっては、掛止部が枢着部を中心に回転して掛止部の下端が取付部から離れ、結束部材の一方の環部が掛止部の下部から離脱することにより、結束部材の絡みつきが解放される場合があるけれども、結束部材の絡みつきが解放されないおそれもある。
【０００９】
本発明の目的は、子供や老人などにタッセルが絡みついて、タッセルを房掛けから引き離す方向に所定値以上の荷重がタッセルに作用したときに、タッセルのリング状態を確実に解除できる、接続具及びこれを用いたタッセルを提供することにある。
【課題を解決するための手段】
【００１０】
本発明の第１の観点は、図１及び図２に示すように、壁又は窓枠に取付けられた房掛け１１とカーテンを束ねるタッセル１２とを分離可能に接続する接続本体１３を備えた接続具１０であって、タッセル１２を房掛け１１から引き離す方向の所定値以上の荷重がタッセル１２に作用したときに、接続本体１３が房掛け１１又はタッセル１２のいずれか一方又は双方から外れるように構成されたことを特徴とする。
【００１１】
本発明の第２の観点は、第１の観点に基づく発明であって、更に図１及び図２に示すように、接続本体１３が弾性変形可能なリング状、略Ｃ字状又は略ε字状に形成されかつ単一の切離し部１３ａを有し、タッセル１２を房掛け１１から引き離す方向の所定値以上の荷重がタッセル１２に作用したときに、切離し部１３ａの両端が房掛け１１の外周面又はタッセル１２の外周面に沿って互いに離れる方向に弾性変形し、かつ切離し部１３ａが房掛け１１又はタッセル１２から離れたときに切離し部１３ａの両端が接続本体１３の弾性力により互いに近付いてリング状、略Ｃ字状又は略ε字状に復帰するように構成されたことを特徴とする。
【００１２】
本発明の第３の観点は、第１の観点に基づく発明であって、更に図３及び図４に示すように、接続本体２３が弾性変形可能なリング状、略Ｃ字状又は略ε字状に形成されかつ単一の切離し部２３ａを有し、接続本体２３に紐遊挿部２４が一体的に設けられ、接続本体２３が房掛け１１に遊嵌され、紐遊挿部２４にタッセル１２のリング紐１２ｂが遊挿され、タッセル１２を房掛け１１から引き離す方向の所定値以上の荷重がタッセル１２に作用したときに、タッセル１２が紐遊挿部２３から離脱せずに、接続本体２３が房掛け１１から離脱するように構成されたことを特徴とする。
【００１３】
本発明の第４の観点は、第１の観点に基づく発明であって、更に図１７及び図１８に示すように、接続本体８３がリング状に形成され、接続本体８３に被係止部材８４が一体的に設けられ、被係止部材８４に係止部材８６が離脱可能に係止し、接続本体８３が房掛け１１に遊嵌され、係止部材８６にタッセル１２のリング紐１２ｂが遊挿され、タッセル１２を房掛け１１から引き離す方向の所定値以上の荷重がタッセル１２に作用したときに、係止部材８６が被係止部材８４から離脱するように構成されたことを特徴とする。
【００１４】
本発明の第５の観点は、第１の観点に基づく発明であって、更に図２１及び図２２に示すように、接続本体１０３がリング状又は略Ｃ字状に形成され、タッセル４２のリング紐４２ｂを解放可能に保持する紐保持部材１０４が接続本体１０３に取付けられるか又は接続本体と一体的に設けられ、接続本体１０３が房掛け１１に遊嵌され、紐保持部材１０４によりタッセル４２のリング紐４２ｂが保持され、タッセル４２を房掛け１１から引き離す方向の所定値以上の荷重がタッセル４２に作用したときに、リング紐４２ｂが紐保持部材１０４から解放されるように構成されたことを特徴とする。
【００１５】
本発明の第６の観点は、第１ないし第５の観点のいずれかに基づく発明であって、更に図１３〜図１６に示すように、タッセル４２を房掛け１１から引き離す所定値以上の荷重が荷重調整装置７９により調整可能に構成されたことを特徴とする。
【００１６】
本発明の第７の観点は、図３１及び図３２に示すように、壁又は窓枠に取付けられた房掛け１１に分離可能に接続する接続本体１５３を備えた接続具１５０が縫い付けられかつカーテンを束ねるタッセル１５２であって、接続本体１５３が弾性変形可能なリング状、略Ｃ字状又は略ε字状に形成されかつ単一の切離し部１５３ａを有し、接続本体１５３に縫製部１５４が一体的に設けられ、接続本体１５３が房掛け１１に遊嵌され、両端に縫製部１５４が縫い付けられ、房掛け１１から引き離す方向の所定値以上の荷重が作用したときに、接続本体１５３が房掛け１１から離脱するように構成されたことを特徴とする。
【００１７】
本発明の第８の観点は、第７の観点に基づく発明であって、更に房掛けから引き離す所定値以上の荷重が荷重調整装置により調整可能に構成されたことを特徴とする。
【発明の効果】
【００１８】
本発明の第１の観点の接続具では、子供や老人などにタッセルが絡みついて、タッセルを房掛けから引き離す方向の所定値以上の荷重がタッセルに作用すると、接続具の接続本体が房掛け又はタッセルのいずれか一方又は双方から外れるので、タッセルのリング状態を確実に解除できる。この結果、子供や老人などをタッセルの絡みつきから速やかに解放できる。
【００１９】
本発明の第２の観点の接続具では、子供や老人などにタッセルが絡みついて、タッセルを房掛けから引き離す方向の所定値以上の荷重がタッセルに作用すると、接続具の切離し部の両端が房掛けの外周面又はタッセルの外周面に沿って互いに離れる方向に弾性変形するので、接続具がタッセルとともに房掛けから外れるか、或いはタッセルが接続具から外れる。この結果、タッセルのリング状態を確実に解除できるので、子供や老人などをタッセルの絡みつきから速やかに解放できる。また接続具がタッセルとともに房掛けから外れるか、或いはタッセルが接続具から外れて、接続具が房掛け又はタッセルから離れると、接続具の切離し部の両端が接続本体の弾性力により互いに近付いてリング状、略Ｃ字状又は略ε字状に復帰するので、接続具を何回でも繰返し使用できる。
【００２０】
本発明の第３の観点の接続具では、子供や老人などにタッセルが絡みついて、タッセルを房掛けから引き離す方向の所定値以上の荷重がタッセルに作用すると、タッセルが紐遊挿部から離脱せずに、接続本体の切離し部の両端が房掛けの外周面に沿って互いに離れる方向に弾性変形し、接続本体が房掛けから離脱するので、接続具がタッセルとともに房掛けから外れる。この結果、タッセルのリング状態を確実に解除できるので、子供や老人などをタッセルの絡みつきから速やかに解放できる。また接続具がタッセルとともに房掛けから外れて、接続具が房掛けから離れると、接続具の切離し部の両端が接続本体の弾性力により互いに近付いてリング状、略Ｃ字状又は略ε字状に復帰するので、接続具を何回でも繰返し使用できる。
【００２１】
本発明の第４の観点の接続具では、子供や老人などにタッセルが絡みついて、タッセルを房掛けから引き離す方向の所定値以上の荷重がタッセルに作用すると、係止部材が被係止部材から離脱するので、接続本体及び被係止部材が房掛けに残された状態で、係止部材がタッセルとともに房掛けから外れる。この結果、タッセルのリング状態を確実に解除できるので、子供や老人などをタッセルの絡みつきから速やかに解放できる。また被係止部材に係止部材を係止することにより、タッセルを房掛けに再び接続できるので、接続具を何回でも繰返し使用できる。
【００２２】
本発明の第５の観点の接続具では、子供や老人などにタッセルが絡みついて、タッセルを房掛けから引き離す方向の所定値以上の荷重がタッセルに作用すると、タッセルのリング紐が紐保持部材から解放されるので、接続本体及び紐保持部材が房掛けに残された状態で、タッセルが房掛けから外れる。この結果、タッセルのリング状態を確実に解除できるので、子供や老人などをタッセルの絡みつきから速やかに解放できる。また紐保持部材がタッセルのリング紐を保持することにより、タッセルを房掛けに再び接続できるので、接続具を何回でも繰返し使用できる。
【００２３】
本発明の第６の観点の接続具では、タッセルを房掛けから引き離す所定値以上の荷重を荷重調整装置により調整可能に構成したので、上記荷重を所望の値に変更できる。
【００２４】
本発明の第７の観点のタッセルでは、接続具の縫製部をタッセルに縫い付けたので、子供や老人などにタッセルが絡みついて、タッセルを房掛けから引き離す方向の所定値以上の荷重がタッセルに作用すると、タッセルが接続具から離脱せずに、接続本体の切離し部が房掛けの外周面に沿って互いに離れる方向に弾性変形し、接続本体が房掛けから離脱する。この結果、接続具がタッセルとともに房掛けから外れるので、タッセルのリング状態を確実に解除でき、これにより子供や老人などをタッセルの絡みつきから速やかに解放できる。また接続具がタッセルとともに房掛けから外れて、接続具が房掛けから離れると、接続具の切離し部の両端が接続本体の弾性力により互いに近付いてリング状、略Ｃ字状又は略ε字状に復帰するので、上記接続具を備えたタッセルを何回でも繰返し使用できる。
【００２５】
本発明の第８の観点のタッセルでは、房掛けから引き離す所定値以上の荷重を荷重調整装置により調整可能に構成したので、上記荷重を所望の値に変更できる。
【図面の簡単な説明】
【００２６】
【図１】本発明第１実施形態の接続具を介して房掛けに接続されたタッセルに所定値以上が力が作用してタッセルが房掛けから外れる動作を示す要部斜視図である。
【図２】そのタッセルが房掛けから外れる動作を示す要部平面図である。
【図３】本発明第２実施形態の接続具を介して房掛けに接続されたタッセルに所定値以上の力が作用してタッセルが房掛けから外れる動作を示す要部斜視図である。
【図４】そのタッセルが房掛けから外れる動作を示す要部平面図である。
【図５】本発明第３実施形態の接続具を介して房掛けに接続されたタッセルに所定値以上の力が作用してタッセルが房掛けから外れる動作を示す要部斜視図である。
【図６】そのタッセルが房掛けから外れる動作を示す要部平面図である。
【図７】本発明第４実施形態の接続具を介して房掛けに接続されたタッセルに所定値以上の力が作用してタッセルが房掛けから外れる動作を示す要部平面図である。
【図８】その接続具の斜視図である。
【図９】本発明第５実施形態の接続具を介して房掛けに接続されたタッセルに所定値以上の力が作用してタッセルが房掛けから外れる動作を示す要部平面図である。
【図１０】その接続具の要部斜視図である。
【図１１】本発明第６実施形態の接続具を介して房掛けに接続されたタッセルに所定値以上の力が作用してタッセルが房掛けから外れる動作を示す要部斜視図である。
【図１２】そのタッセルが房掛けから外れる動作を示す要部断面図である。
【図１３】本発明第７実施形態の接続具を介して房掛けに接続されたタッセルに所定値以上の力が作用してタッセルが房掛けから外れる動作を示す要部斜視図である。
【図１４】そのタッセルが房掛けから外れる動作を示す要部断面図である。
【図１５】その接続具の分解斜視図である。
【図１６】その接続具を鉛直面で切断した斜視図である。
【図１７】本発明第８実施形態の接続具を介して房掛けに接続されたタッセルに所定値以上の力が作用してタッセルが房掛けから外れる動作を示す要部斜視図である。
【図１８】そのタッセルが房掛けから外れる動作を示す要部断面図である。
【図１９】本発明第９実施形態の接続具を介して房掛けに接続されたタッセルに所定値以上の力が作用してタッセルが房掛けから外れる動作を示す要部斜視図である。
【図２０】そのタッセルが房掛けから外れる動作を示す要部断面図である。
【図２１】本発明第１０実施形態の接続具を介して房掛けに接続されたタッセルに所定値以上の力が作用してタッセルが房掛けから外れる動作を示す要部斜視図である。
【図２２】そのタッセルが房掛けから外れる動作を示す要部断面図である。
【図２３】本発明第１１実施形態の接続具を介して房掛けに接続されたタッセルに所定値以上の力が作用してタッセルが房掛けから外れる動作を示す要部斜視図である。
【図２４】そのタッセルが房掛けから外れる動作を示す要部断面図である。
【図２５】本発明第１２実施形態の接続具を介して房掛けに接続されたタッセルに所定値以上の力が作用してタッセルが房掛けから外れる動作を示す要部斜視図である。
【図２６】そのタッセルが房掛けから外れる動作を示す要部平面図である。
【図２７】本発明第１３実施形態の接続具を介して房掛けに接続されたタッセルに所定値以上の力が作用してタッセルが房掛けから外れる動作を示す要部斜視図である。
【図２８】そのタッセルが房掛けから外れる動作を示す要部断面図である。
【図２９】本発明第１４実施形態の接続具を介して房掛けに接続されたタッセルに所定値以上の力が作用してタッセルが房掛けから外れる動作を示す要部斜視図である。
【図３０】そのタッセルが房掛けから外れる動作を示す要部断面図である。
【図３１】本発明第１５実施形態のタッセルに縫い付けられた接続具の接続本体が房掛けに遊嵌された状態でタッセルに所定値以上の力が作用してタッセルが房掛けから外れる動作を示す要部斜視図である。
【図３２】そのタッセルが房掛けから外れる動作を示す要部平面図である。
【図３３】本発明第１６実施形態の接続具を介して第１房掛けに接続されたタッセルに所定値以上の力が作用してタッセルが第１房掛けから外れる動作を示す要部斜視図である。
【図３４】そのタッセルが第１房掛けから外れる動作を示す要部平面図である。
【図３５】図３４（ａ）のＡ−Ａ線断面図である。
【図３６】図３４（ｂ）のＢ−Ｂ線断面図である。
【図３７】その接続具を介して第２房掛けに接続されたタッセルに所定値以上の力が作用してタッセルが第２房掛けから外れる動作を示す要部斜視図である。
【発明を実施するための形態】
【００２７】
次に本発明を実施するための形態を図面に基づいて説明する。
【００２８】
＜第１の実施の形態＞
図１及び図２に示すように、本発明の接続具１０は、房掛け１１とタッセル１２とを分離可能に接続する接続本体１３を備える。房掛け１１は、壁又は窓枠に取付けられる取付部１１ａと、鉛直方向に延びて設けられた円柱状の柱状部１１ｂと、取付部１１ａと柱状部１１ｂとを連結する四角柱状の水平部１１ｃとを有する。この房掛け１１は、取付部１１ａを壁又は窓枠にビス等で取付けることにより、壁又は窓枠に固定される。またタッセル１２は、カーテンに巻き付けられる房部１２ａと、この房部１２ａの両端に設けられた幅広の一対のリング紐１２ｂとを有する。このタッセル１２によりカーテンが束ねられる。
【００２９】
一方、接続本体１３は、弾性変形可能な円形のリング状に形成される。そして接続本体１３は房掛け１１の柱状部１１ｂに遊嵌可能に構成され、接続本体１３にタッセル１２のリング紐１２ｂが遊挿可能に構成される。また接続本体１３は単一の切離し部１３ａを有する。この切離し部１３ａの両端には、接続本体１３の湾曲する線材の直径より大きな直径を有する一対の球体１３ｂ，１３ｂが接続本体１３と一体的にそれぞれ設けられる。接続本体１３に荷重が作用していないとき、一対の球体１３ｂ，１３ｂが当接した状態に保たれる。また接続本体１３に切離し部１３ａの両端を引き離す方向の荷重が作用すると、接続本体１３が弾性変形して切離し部１３ａの両端（一対の球体１３ｂ，１３ｂ）が離れ、上記荷重を取り除くと、接続本体１３の弾性力により互いに近付いて接続本体１３がリング状に復帰するように構成される。この実施の形態では、上記接続具１０にタッセル１２両端の一対のリング紐１２ｂをそれぞれ遊挿することにより、タッセル１２両端の一対のリング紐１２ｂが一対の接続具１０を介して房掛け１１にそれぞれ接続される。更に上記房掛け１１はプラスチックや金属等により形成され、タッセル１２は織布、ワイヤ、紐、チェーン、レザー等により形成され、接続具１０はプラスチックや金属等により形成される。なお、この実施の形態では、接続本体を弾性変形可能な円形のリング状に形成したが、接続本体を弾性変形可能な略Ｃ字状に形成してもよい。また、この実施の形態では、タッセル両端の一対のリング紐を一対の接続具を介して房掛けにそれぞれ接続したが、タッセル一端の一方のリング紐を一方の接続具を介して房掛けに接続し、タッセル他端の他方のリング紐を接続具を介さずに直接房掛けに接続してもよい。
【００３０】
このように構成された接続具１０の使用方法及び動作を説明する。先ずタッセル１２両端の一対のリング紐１２ｂを一対の接続具１０にそれぞれ遊挿する。次にタッセル１２の一方のリング紐１２ｂが遊挿された一方の接続具１０の接続本体１３を房掛け１１の柱状部１１ｂに遊嵌する（図１（ａ）及び図２（ａ））。更にタッセル１２の房部１２ａをカーテンに巻き付けた後に、タッセル１２の他方のリング紐（図示せず）が遊挿された他方の接続具（図示せず）の接続本体を房掛け１１の柱状部１１ｂに遊嵌する。このときタッセル１２は比較的弛んだ状態でカーテンを束ねているため、子供や老人などにタッセル１２が絡みつく場合がある。この状態でタッセル１２を房掛け１１から引き離す方向の所定値以上の荷重（例えば、２ｋｇ以上の荷重）がタッセル１２に作用すると、一対の接続具１０のうちのいずれか一方又は双方の接続具、この実施の形態では、一方の接続具１０の切離し部１３ａの両端が房掛け１１の柱状部１１ｂの外周面又はタッセル１２のリング紐１２ｂの外周面に沿って互いに離れる方向に弾性変形する。このため、上記接続具１０がタッセル１２とともに房掛け１１から外れるか（図１（ｂ）及び図２（ｂ））、或いはタッセル１２が接続具１０から外れる。この結果、タッセル１２のリング状態を確実に解除できるので、子供や老人などをタッセル１２の絡みつきから速やかに解放できる。また接続具１０がタッセル１２とともに房掛け１１から外れるか、或いはタッセル１２が接続具１０から外れて、接続具１０が房掛け１１又はタッセル１２から離れると、接続具１０の接続本体１３の切離し部１３ａ両端が接続本体１３の弾性力により互いに近付いて、接続本体１３がリング状に復帰するので、接続具１３を何回でも繰返し使用できる。
【００３１】
＜第２の実施の形態＞
図３及び図４は本発明の第２の実施の形態を示す。図３及び図４において図１及び図２と同一符号は同一部品を示す。この実施の形態では、接続具２０の接続本体２３に紐遊挿部２４が一体的に設けられる。即ち、接続具２０は、弾性変形可能なリング状に形成されかつ単一の切離し部２３ａを有する接続本体２３と、一対の仕切り片２６，２６により接続本体２３から区画された紐遊挿部２４とを備えることにより、略８の字状に形成される。また一対の仕切り片２６，２６は互いに対向するように突設され、これらの仕切り片２６，２６の先端間には所定の隙間が形成される。更に紐遊挿部２４にタッセル１２のリング紐１２ｂが遊挿される。上記所定の隙間はタッセル１２のリング紐１２ｂの厚さと略同一に形成される。これによりタッセル１２のリング紐１２ｂが紐遊挿部２４から容易に抜けないようになっている。上記以外は第１の実施の形態と同一に構成される。
【００３２】
このように構成された接続具２０の使用方法及び動作を説明する。先ずタッセル１２両端の一対のリング紐１２ｂを一対の接続具２０の紐遊挿部２４にそれぞれ遊挿する。次にタッセル１２の一方のリング紐１２ｂが遊挿された一方の接続具２０の接続本体２３を房掛け１１の柱状部１１ｂに遊嵌する（図３（ａ）及び図４（ａ））。更にタッセル１２の房部１２ａをカーテンに巻き付ける。この状態でタッセル１２の他方のリング紐（図示せず）が遊挿された他方の接続具（図示せず）の接続本体を房掛け１１の柱状部１１ｂに遊嵌する。このときタッセル１２は比較的弛んだ状態でカーテンを束ねているため、子供や老人などにタッセル１２が絡みつく場合がある。この状態でタッセル１２を房掛け１１から引き離す方向の所定値以上の荷重（例えば、２ｋｇ以上の荷重）がタッセル１２に作用すると、一対の接続具２０のうちのいずれか一方又は双方の接続具、この実施の形態では、一方の接続具２０の切離し部２３ａの両端が房掛け１１の柱状部１１ｂの外周面に沿って互いに離れる方向に弾性変形する。このため、上記接続具２０がタッセル１２とともに房掛け１１から外れる。この結果、タッセル１２のリング状態を確実に解除できるので、子供や老人などをタッセル１２の絡みつきから速やかに解放できる。また接続具２０がタッセル１２とともに房掛け１１から外れて、接続具２０が房掛け１１から離れると、接続具２０の接続本体２３の切離し部２３ａ両端が接続本体２３の弾性力により互いに近付いて、接続本体２３がリング状に復帰するので、接続具２０を何回でも繰返し使用できる。
【００３３】
＜第３の実施の形態＞
図５及び図６は本発明の第３の実施の形態を示す。図５及び図６において図１及び図２と同一符号は同一部品を示す。この実施の形態では、接続具３０の接続本体３３に紐遊挿部３４が一体的に設けられる。即ち、接続具３０は、弾性変形可能な略Ｃ字状に形成されかつ単一の切離し部３３ａを有する接続本体３３と、この接続本体３３より小さい略Ｃ字状に形成された紐遊挿部３４とを備えることにより、略Ｓ字状に形成される。また紐遊挿部３４にタッセル１２のリング紐１２ｂが遊挿される。更に紐遊挿部３４の小さい略Ｃ字状の隙間は、タッセル１２のリング紐１２ｂの厚さと略同一に形成される。これによりタッセル１２のリング紐１２ｂが紐遊挿部３４から容易に抜けないようになっている。上記以外は第１の実施の形態と同一に構成される。
【００３４】
このように構成された接続具３０では、接続具３０を金属線材で作製したときに、第２の実施の形態の接続具より容易に作製できる。上記以外の動作は、第２の実施の形態の動作と略同様であるので、繰返しの説明を省略する。
【００３５】
＜第４の実施の形態＞
図７及び図８は本発明の第４の実施の形態を示す。図７及び図８において図１及び図２と同一符号は同一部品を示す。この実施の形態では、接続具４０の接続本体４３に紐遊挿部４４が一体的に設けられる。即ち、接続具４０は、弾性変形可能な略ε字状に形成されかつ単一の切離し部４３ａを有する接続本体４３と、この接続本体４３の切離し部４３ａとは反対方向に所定の間隔をあけて接続本体４３に突設された略Ｃ字状の一対の紐遊挿部４４，４４と、接続本体４３のうち略ε字状の中央部に接続本体４３と一体的に突設された回動軸４６と、回動軸４６を回動可能に保持しかつ一部が扇形に欠けた円板状の案内ケース４７とを備える。上記接続本体４３は、円弧状の一対の腕部４３ｂ，４３ｂと、一対の腕部４３ｂ，４３ｂの基端と回動軸４６とを連結する弾性変形可能な一対の連結部４３ｃ，４３ｃと、一対の腕部４３ｂ，４３ｂ先端の切離し部４３ａ両端にそれぞれ設けられた一対の球体４３ｄ，４３ｄとを有する。この接続本体４３に荷重が作用していないとき、切離し部４３ａの両端の間隔、即ち一対の球体４３ｄ，４３ｄの間隔は房掛け１１の柱状部１１ｂの直径より小さく形成される。また一対の紐遊挿部４４，４４は、一対の腕部４３ｂ，４３ｂの基端から腕部４３ｂの厚さ方向において上側にずらした状態で切離し部４３ａとは反対方向に突設される。更に案内ケース４７の外周面には接続本体４３の一対の腕部４３ｂ，４３ｂの内周面を摺動可能に保持する凹溝４７ａが形成される。一方、タッセル４２は、この実施の形態では、カーテンに巻き付けられる房部（図示せず）と、この房部の両端に設けられた細い円柱状の一対のリング紐４２ｂとを有する。また一対の連結部４３ｃ，４３ｃは案内ケース４７の上面を摺動可能に構成され、一対の紐遊挿部４４，４４にタッセル４２両端のリング紐４２ｂがそれぞれ遊挿される。更に略Ｃ字状の紐遊挿部４４の隙間は、タッセル４２のリング紐４２ｂの太さと略同一に形成される。これによりタッセル４２のリング紐４２ｂが紐遊挿部４４から容易に抜けないようになっている。上記以外は第１の実施の形態と同一に構成される。
【００３６】
このように構成された接続具４０の使用方法及び動作を説明する。先ずタッセル４２の一方のリング紐４２ｂを一方の接続具４０の一対の紐遊挿部４４，４４にそれぞれ遊挿し、タッセル４２の他方のリング紐（図示せず）を他方の接続具（図示せず）の一対の紐遊挿部にそれぞれ遊挿する。次にタッセル４２の一方のリング紐４２ｂが遊挿された一方の接続具４０の接続本体４３を房掛け１１の柱状部１１ｂに遊嵌する（図７（ａ））。更にタッセルの房部をカーテンに巻き付ける。この状態でタッセル４２の他方のリング紐（図示せず）が遊挿された他方の接続具（図示せず）の接続本体を房掛け１１の柱状部１１ｂに遊嵌する。このときタッセル４２は比較的弛んだ状態でカーテンを束ねているため、子供や老人などにタッセル４２が絡みつく場合がある。この状態でタッセル４２を房掛け１１から引き離す方向の所定値以上の荷重（例えば、２ｋｇ以上の荷重）がタッセル４２に作用すると、一対の接続具４０のうちいずれか一方又は双方の接続具、この実施の形態では、一方の接続具４０の一対の連結部４３ｃ，４３ｃが弾性変形して、一対の紐遊挿部４４，４４が互いに近付くので、切離し部４３ａの両端が房掛け１１の柱状部１１ｂの外周面に沿って互いに離れる。このため、接続具４０がタッセル４２とともに房掛け１１から外れる（図７（ｂ）及び図７（ｃ））。この結果、タッセル４２のリング状態を確実に解除できるので、子供や老人などをタッセル４２の絡みつきから速やかに解放できる。また接続具４０がタッセル４２とともに房掛け１１から外れて、接続具４０が房掛け１１から離れると、接続具４０の接続本体４３の切離し部４３ａ両端が、接続本体４３の弾性力、具体的には一対の連結部４３ｃ、４３ｃの弾性力により互いに近付いて、接続本体４３が略ε字状に復帰するので、接続具４０を何回でも繰返し使用できる。
【００３７】
＜第５の実施の形態＞
図９及び図１０は本発明の第５の実施の形態を示す。図９及び図１０において図１及び図２と同一符号は同一部品を示す。この実施の形態では、接続具５０の接続本体５３に紐遊挿部５４が一体的に設けられる。即ち、接続具５０は、内径が房掛け１１の柱状部１１ｂの直径より大きい弾性変形可能な略Ｃ字状に形成されかつ単一の切離し部５３ａを有する接続本体５３と、連結部材５６を介して接続本体５３に連結された紐遊挿部５４とを備えることにより、略８の字状に形成される。この紐遊挿部５４は、幅の大きい略逆Ｃ字状に形成された基部５４ａと、この基部５４ａと一体的に設けられ基部５４ａの一端から突設された幅の小さい湾曲突片５４ｂと、湾曲突片５４ｂの先端に設けられたフック５４ｃとを有する。また基部５４ａの他端には、湾曲突片５４ｂ及びフック５４ｃが挿入されてフック５４ｃが縁に係止可能な矩形孔５４ｄが形成される。また切離し部５３ａ両端には一対の球体５３ｂ，５３ｂがそれぞれ設けられ、これらの球体５３ｂ，５３ｂの間隔は房掛け１１の柱状体１１ｂの直径より小さく形成される。更にタッセル４２のリング紐４２ｂが紐遊挿部５４に遊挿される。このタッセル４２は第４の実施の形態のタッセルと同一に構成され、それ以外は第１の実施の形態と同一に構成される。
【００３８】
このように構成された接続具５０では、タッセル４２のリング紐４２ｂを紐遊挿部５４の基部５４ａに遊挿した後、矩形孔５４ｄに湾曲突片５４ｂ及びフック５４ｃを挿入して、フック５４ｃを矩形孔５４ｄの縁に係止することにより、タッセル４２のリング紐４２ｂが紐遊挿部５４から抜けるのを確実に防止できる。上記以外の動作は、第２の実施の形態の動作と略同様であるので、繰返しの説明を省略する。
【００３９】
＜第６の実施の形態＞
図１１及び図１２は本発明の第６の実施の形態を示す。図１１及び図１２において図１及び図２と同一符号は同一部品を示す。この実施の形態では、接続具６０の接続本体６３に紐遊挿部６４が一体的に設けられる。即ち、接続具６０は、弾性変形可能な略四角形のリング状に形成されかつ単一の切離し部６３ａを有する接続本体６３と、切離し部６３ａから離れる方向に延びかつ互いに間隔をあけて突設された一対の紐遊挿部６４，６４とを備える。接続本体６３は、基端が回動軸６３ｂを中心に回動する一対の腕部６３ｃ，６３ｃを有し、これらの腕部６３ｃ，６３ｃの先端に上記単一の切離し部６３ａが設けられる。また一対の紐遊挿部６４，６４の先端にはリング紐４２ｂを遊挿可能な略Ｔ字状の凹溝６４ａが形成される。更に一対の紐遊挿部６４，６４の間には圧縮コイルばね６６が介装され、このばね６６の弾性力に抗して一対の紐遊挿部６４，６４を互いに近付けると、接続本体６３の切離し部６３ａの両端が離れて接続本体６３を房掛け１１の水平部１１ｃに遊嵌可能に構成される。上記タッセル４２は第４の実施の形態のタッセルと同一に構成され、それ以外は第１の実施の形態と同一に構成される。
【００４０】
このように構成された接続具では、接続本体６３を房掛け１１の水平部１１ｃに遊嵌することを除いて、使用方法及び動作は、第４の実施の形態と略同様であるので、繰返しの説明を省略する。
【００４１】
＜第７の実施の形態＞
図１３〜図１６は本発明の第７の実施の形態を示す。図１３及び図１４において図１及び図２と同一符号は同一部品を示す。この実施の形態では、接続具７０の接続本体７３に紐遊挿部７４が一体的に設けられる。即ち、接続具７０は、弾性変形可能な略Ｃ字状に形成されかつ単一の切離し部７３ａを有する接続本体７３と、切離し部７３ａから離れる方向に突設されかつ先端部が側面視で重なるように屈曲する一対の紐遊挿部７４，７４と、接続本体７３と紐遊挿部７４とを回動可能に連結するケース７６とを備える。タッセル４２のリング紐４２ｂは一対の紐遊挿部７４，７４に遊挿される。このタッセル４２は第４の実施の形態のタッセルと同様に構成される。一方、ケース７６は、収容凹部７７ａが形成された箱状のアウタケース７７と、このアウタケース７７の収容凹部７７ａに収容され外周面の略半分が露出するインナケース７８とを有する。このケース７６は、アウタケース７７にインナケース７８を収容した状態で両端が閉止された円筒状に形成され、アウタケース７７内でインナケース７８が回動するように構成される。また接続本体７３は、基端がアウタケース７７及びインナケース７８の外周面にそれぞれ突設された一対の腕部７３ｂ，７３ｂと、これらの腕部７３ｂ，７３ｂの先端にそれぞれ設けられた一対の円柱体７３ｃ，７３ｃとを有し、一対の腕部７３ｂ，７３ｂの先端、即ち一対の円柱体７３ｃ，７３ｃの間に上記単一の切離し部７３ａが設けられる。更に一対の紐遊挿部７４，７４のうち一方の紐遊挿部７４はアウタケース７７の外周面に一方の腕部７３ｂとは反対方向に突設され、他方の紐遊挿部７４はインナケース７７の外周面に他方の腕部７３ｂとは反対方向に突設される。
【００４２】
一方、ケース７６内には、接続本体７３の構成部品の一部として機能する荷重調整装置７９が内蔵される（図１５及び図１６）。この荷重調整装置７９は、小径の圧縮コイルばね７９ａと、大径の捩りコイルばね７９ｂと、圧縮コイルばね７９ａと捩りコイルばね７９ｂの間に介装された調整ロータ７９ｃとを有する。アウタケース７７は、円筒をその中心軸を含む平面で切断した半割外筒７７ｂと、この半割外筒７７ｂと一体的に設けられ半割外筒７７ｂの両端をそれぞれ閉止する一対の円板７７ｃ，７７ｄとからなる。またインナケース７８は、円筒をその中心軸を含む平面で切断した半割外筒７８ａと、この半割外筒７８ａと一体的に設けられ半割外筒７８ａより僅かに小径の中間筒７８ｂと、中間筒７８ｂと一体的に設けられ中間筒７８ｂの一端を閉止する蓋体８ｃと、蓋体７８ｃと一体的に設けられ中間筒７８ｂ内に位置する小径の内筒７８ｄと、蓋体７８ｃの外面であって蓋体７８ｃ中心に突設された軸部７８ｅとからなる。上記圧縮コイルばね７９ａはインナケース７８の内筒７８ｄに収容され、捩りコイルばね７９ｂはインナケース７８の中間筒７８ｂと内筒７８ｄとの間に収容される。更に調整ロータ７９ｃは、圧縮コイルばね７９ａを収容するとともにインナケース７８の内筒７８ｄに収容されかつ内筒７８ｄより短く形成されてインナケース７８に対して円周方向に回動可能であって軸方向に摺動可能な円筒体７９ｄと、この円筒体７９ｄと一体的に設けられ円筒体７９ｄの端面に位置する大径のフランジ７９ｅと、このフランジ７９ｅの両面のうち円筒体７９ｄとは反対側の面のフランジ７９ｅ中心に突設された溝付き軸部７９ｆと、この溝付き軸部７９ｆと間隔をあけてフランジ７９ｅに突設され溝付き軸部７９ｆより小径の係止突起７９ｇと、フランジ７９ｅの外周面に形成された凹部７９ｈとからなる。
【００４３】
そしてインナケース７８の中間筒７８ｂと内筒７８ｄとの間に収容された捩りコイルばね７９ｂの一端はインナケース７８の蓋体７８ｃに係止し、捩りコイルばね７９ｂの他端は調整ロータ７９ｃのフランジ７９ｅの凹部７９ｈに係止する（図１６）。またアウタケース７７の一方の円板７７ｃには調整ロータ７９ｃの溝付き軸部７９ｆを回動可能に収容する通孔７７ｅが形成され、アウタケース７７の他方の円板７７ｄにはインナケース７８の蓋体７８ｃの軸部７８ｅを回動可能に収容する透孔７７ｆが形成され、上記溝付き軸部７９ｆ及び軸部７８ｅを中心にインナケース７８がアウタケース７７に対して相対的に回動するように構成される（図１５及び図１６）。またアウタケース７７の一方の円板７７ｃには通孔７７ｅを中心とする円周上に所定の間隔をあけて３つの被係止孔７７ｇがそれぞれ形成され、これらの被係止孔７７ｇに調整ロータ７９ｃの係止突起７９ｇが選択的に係止するようになっている。上記圧縮コイルばね７９ａは、調整ロータ７９ｃの溝付き軸部７９ｆをアウタケース７７の一方の円板７７ｃの通孔７７ｅに挿入した状態を保つとともに、調整ロータ７９ｃの係止突起７９ｇをアウタケース７７の３つの被係止孔７７ｇのいずれかに挿入した状態を保つように構成される。更に捩りコイルばね７９ｂは、一対の腕部７３ｂ，７３ｂを互いに近付ける方向に付勢するように構成される。そして一対の腕部７３ｂ，７３ｂ又は一対の紐遊挿部７４，７４に荷重が作用しない状態で、一対の腕部７３ｂ，７３ｂ先端の間隔、即ち一対の円柱部７３ｃ，７３ｃの間隔は、房掛け１１の水平部１１ｃに遊嵌された接続本体７３が水平部１１ｃから離脱しない間隔に設定される。上記以外は第１の実施の形態と同一に構成される。
【００４４】
このように構成された接続具７０の使用方法及び動作を説明する。先ずタッセル４２両端の一対のリング紐４２ｂを一対の接続具７０の紐遊挿部７４にそれぞれ遊挿する。次に一対の紐遊挿部７４，７４を把持してこれらの紐操作部７４，７４の基端を捩りコイルばね７９ｂの弾性力に抗して互いに近付け、接続本体７３の一対の腕部７３ｂ，７３ｂ先端の間隔、即ち一対の円柱体７３ｃ，７３ｃの間隔を房掛け１１の水平部１１ｃの直径より大きくして、接続本体７３を房掛け１１の水平部１１ｃに遊嵌する（図１３（ａ）及び図１４（ａ））。更にタッセル４２の房部をカーテンに巻き付け、この状態でタッセル４２の他方のリング紐（図示せず）が遊挿された他方の接続具（図示せず）の接続本体を房掛け１１の水平部１１ｃに遊嵌する。この状態でタッセル４２を房掛け１１から引き離す方向の所定値以上の荷重（例えば、２ｋｇ以上の荷重）がタッセル４２に作用すると、一対の接続具７０のうちのいずれか一方又は双方の接続具、この実施の形態では、一方の接続具７０の切離し部７３ａの両端が房掛け１１の水平部１１ｃの外周面に沿って互いに離れる方向に弾性変形する。このため、接続具７０がタッセル４２とともに房掛け１１から外れる（図１３（ｂ）及び図１４（ｂ））。この結果、タッセル４２のリング状態を確実に解除できるので、子供や老人などをタッセル４２の絡みつきから速やかに解放できる。また接続具７０がタッセル４２とともに房掛け１１から外れて、接続具７０が房掛け１１から離れると、接続本体７３の切離し部７３ａの両端が、接続本体７３の弾性力、具体的には捩りコイルばね７９ｂの弾性力により互いに近付いて、接続本体７３が略Ｃ字状に復帰するので、接続具７０を何回でも繰返し使用できる。
【００４５】
次に接続本体７３の切離し部７３ａの両端、即ち一対の腕部７３ｂ，７３ｂ先端の一対の円柱体７３ｃ，７３ｃの間隔を広げる弾性力を調整する方法を説明する。先ず溝付き軸部７９ｆの溝にマイナスドライバ（図示せず）を挿入して調整ロータ７９ｃをケース７６内に押込むと、調整ロータ７９ｃの溝付き軸部７９ｆがアウタケース７７の一方の円板７７ｃの通孔７７ｅから離脱するとともに、調整ロータ７９ｃの係止突起７９ｇがアウタケース７７の被係止孔７７ｇから離脱する。これにより調整ロータ７９ｃをアウタケース７７に対して相対的に回転できるようになる。次にマイナスドライバにより調整ロータ７９ｃを回転させて、係止突起７９ｇが３つの被係止孔７７ｇのうちの所望の被係止孔７７ｇに対向したとき、マイナスドライバによる調整ロータ７９ｃの押込み力を解除すると、溝付き軸部７９ｆがアウタケース７７の一方の円板７７ｃの通孔７７ｅに挿入されるともに、係止突起７９ｆが所望の被係止孔７７ｇに挿入される。これにより接続本体７３の切離し部７３ａの両端、即ち一対の腕部７３ｂ，７３ｂ先端の一対の円柱体７３ｃ，７３ｃの間隔を広げる弾性力を調整できるので、接続具７０の接続本体７３を房掛け１１の水平部１１ｃに遊嵌した状態でタッセル４２を房掛け１１から引き離す方向の所定値以上の荷重を例えば、２〜６ｋｇの範囲で調整できる。
【００４６】
＜第８の実施の形態＞
図１７及び図１８は本発明の第８の実施の形態を示す。図１７及び図１８において図１及び図２と同一符号は同一部品を示す。この実施の形態では、接続本体８３が無端のリング状に形成され、接続本体８３に被係止部材８４が一体的に設けられ、更に被係止部材６４に係止部材８６が離脱可能に係止するように構成される。上記接続本体８３の内径は房掛け１１の柱状部１１ｂの直径より大きく形成され、これにより接続本体８３は房掛け１１の柱状部１１ｂに遊嵌可能に構成される。また被係止部材８４は、接続本体８３に連結部８４ａを介して一体的に設けられた支持部８４ｂと、支持部８４ｂにピン８４ｃを介して回動可能に取付けられ円筒状に形成されかつ基端近傍に一対の被係止孔８４ｄが互いに対向して形成された被係止本体８４ｅとを有する。更に係止部材８６は、被係止本体８４ｅ内に挿入可能な係止本体８６ａと、この係止本体８６ａの先端に突設され先端近傍に一対の被係止孔８４ｄ，８４ｄに係止可能な一対の係止突起８６ｂ，８６ｂがそれぞれ設けられた一対の係止片８６ｃ，８６ｃと、係止本体８６ａの基端に係止本体８６ａと一体的に設けられ被係止本体８４ｅの先端面を閉止するとともに外周部にタッセル４２のリング紐４２ｂを挿入可能な一対の凹部８６ｄ，８６ｄがそれぞれ形成されたフランジ８６ｅとを有する。上記一対の係止片８６ｃ，８６ｃは弾性変形可能に構成され、これらの係止片８６ｃ，８６ｃ間の凹溝８６ｆにはタッセル４２のリング紐４２ｂが遊挿可能に構成される。このタッセルは４２は第４の実施の形態のタッセルと同一に構成され、それ以外は第１の実施の形態と同一に構成される。
【００４７】
このように構成された接続具８０の使用方法及び動作を説明する。先ずタッセル４２両端の一対のリング紐４２ｂを一対の接続具８０の係止部材８６の凹溝８６ｆにそれぞれ遊挿する。次いで係止部材８６を被係止部材８４に係止する。具体的には、一対の係止片８６ｃ，８６ｃの弾性力に抗して係止本体８６ａ及び一対の係止片８６ｃ，８６ｃを被係止本体８４ｅに挿入し、一対の係止片８６ｃ，８６ｃの弾性力により一対の係止突起８６ｂ，８６ｂを一対の被係止孔８４ｅ，８４ｅにそれぞれ係止する。次にタッセル４２の一方のリング紐４２ｂが遊挿された係止部材８６を有する一方の接続具８０の接続本体８３を房掛け１１の柱状部１１ｂに遊嵌する（図１７ａ）及び図１８（ａ））。上記以外の使用方法は第１の実施の形態と略同様であるので、繰返しの説明を省略する。またタッセル４２を房掛け１１から引き離す方向の所定値以上の荷重（例えば、２ｋｇ以上の荷重）がタッセル４２に作用すると、一対の接続具８０のうちのいずれか一方又は双方の接続具、この実施の形態では、一方の接続具８０の一対の係止片８６ｃ，８６ｃが弾性変形して、一対の係止突起８６ｂ，８６ｂが一対の被係止孔８４ｄ，８４ｄから離脱するので、接続本体８３及び被係止部材８４が房掛け１１に残された状態で、係止部材８６がタッセル４２とともに房掛けから外れる（図１７（ｂ）及び図１８（ｂ））。上記以外の動作は第１の実施の形態と略同様であるので、繰返しの説明を省略する。
【００４８】
＜第９の実施の形態＞
図１９及び図２０は本発明の第９の実施の形態を示す。図１９及び図２０において図１及び図２と同一符号は同一部品を示す。この実施の形態では、接続本体９３が無端のリング状に形成され、接続本体９３に被係止部材９４が一体的に設けられ、更に被係止部材９４に係止部材９６が離脱可能に係止するように構成される。上記接続本体９３の内径は房掛け１１の柱状部１１ｂの直径より大きく形成され、これにより接続本体９３は房掛け１１の柱状部１１ｂに遊嵌可能に構成される。また被係止部材９４は、接続本体９３に連結部９４ａを介して一体的に設けられた支持部９４ｂと、支持部９４ｂにピン９４ｃを介して回動可能に取付けられ円筒状に形成されかつ中央から先端に向って４本の切込み９４ｄを形成することにより一対の被係止片９４ｅ，９４ｅが互いに対向して形成された被係止本体９４ｆとを有する。更に係止部材９６は、被係止本体９４ｆ内に挿入可能な球状の係止本体９６ａと、この係止本体９６ａに突設されタッセル４２のリング紐４２ｂを遊挿可能な略Ｃ字状に形成されたフック９６ｂとを有する。上記一対の被係止片９４ｅ，９４ｅは弾性変形可能に構成され、これらの被係止片９４ｅ，９４ｅの先端には一対の被係止爪９４ｇ，９４ｇが互いに対向して設けられる。これにより球状の係止本体９６が一対の被係止爪９４ｇ，９４ｇに離脱可能に係止するように構成される。上記タッセル４２は第４の実施の形態のタッセルと同一に構成され、それ以外は第１の実施の形態と同一に構成される。
【００４９】
このように構成された接続具９０の使用方法及び動作を説明する。先ずタッセル４２両端の一対のリング紐４２ｂを一対の接続具９０の係止部材９６のフック９６ｂにそれぞれ遊挿する。次いで係止部材９６を被係止部材９４に係止する。具体的には、一対の被係止片９４の弾性力に抗して球状の係止本体９６ａを被係止本体９４ｆに挿入し、一対の被係止片９４ｅ，９４ｅの弾性力により球状の係止本体９６ａを一対の被係止爪９４ｇ，９４ｇにそれぞれ係止する。次にタッセル４２の一方のリング紐４２ｂが遊挿された係止部材９６を有する一方の接続具９０の接続本体９３を房掛け１１の柱状部１１ｂに遊嵌する（図１９ａ）及び図２０ａ））。上記以外の使用方法は第１の実施の形態と略同様であるので、繰返しの説明を省略する。またタッセル４２を房掛け１１から引き離す方向の所定値以上の荷重（例えば、２ｋｇ以上の荷重）がタッセル４２に作用すると、一対の接続具９０のうちのいずれか一方又は双方の接続具、この実施の形態では、一方の接続具９０の一対の被係止片９４ｅ，９４ｅｄが弾性変形して、球状の係止本体９６ａが一対の被係止爪９４ｇ，９４ｇから離脱するので、接続本体９３及び被係止部材９４が房掛け１１に残された状態で、係止部材９６がタッセル４２とともに房掛け１１から外れる（図１９（ｂ）及び図２０（ｂ））。上記以外の動作は第１の実施の形態と略同様であるので、繰返しの説明を省略する。
【００５０】
＜第１０の実施の形態＞
図２１及び図２２は本発明の第１０の実施の形態を示す。図２１及び図２２において図１及び図２と同一符号は同一部品を示す。この実施の形態では、接続本体１０３が無端のリング状に形成され、タッセル４２のリング紐４２ｂを解放可能に保持する紐保持部材１０４が接続本体１０３に取付けられる。上記接続本体１０３の内径は房掛け１１の柱状部１１ｂの直径より大きく形成され、これにより接続本体１０３は房掛け１１の柱状部１１ｂに遊嵌可能に構成される。また紐保持部材１０４は、接続本体１０３に連結部１０４ａを介して一体的に設けられた支持部１０４ｂと、支持部１０４ｂにピン１０４ｃを介して回動可能に取付けられ側部にタッセル４２のリング紐４２ｂを遊挿可能な凹部１０４ｄが形成された略コ字状の紐保持本体１０４ｅと、一端が紐保持本体１０４ｅの基端に回動可能に取付けられ先端が紐保持本体１０４ｅの先端に離脱可能に係止することにより上記凹部１０４ｄを開放可能に閉止する開閉体１０４ｆとを有する。上記紐保持本体１０４ｅはプラスチック又は金属により形成され、上記開閉体１０４ｆは金属線材（線バネ材）を折曲げて形成される。これにより紐保持本体１０４ｅ又は開閉体１０４ｆのいずれか一方又は双方が弾性変形可能に構成され、紐保持本体１０４ｅの先端近傍には開閉体１０４ｆの先端が離脱可能に係止する凹溝１０４ｇが形成される。更に紐保持本体１０４ｅ又は開閉体１０４ｆのいずれか一方又は双方が弾性変形することにより、開閉体１０４ｆの先端が紐保持本体１０４ｅの凹溝１０４ｇから離脱するように構成される。上記タッセル４２は第４の実施の形態のタッセルと同一に構成され、それ以外は第１の実施の形態と同一に構成される。
【００５１】
このように構成された接続具１００の使用方法及び動作を説明する。先ずタッセル４２両端の一対のリング紐４２ｂを一対の接続具１００の紐保持部材１０４の凹部１０４ｄに遊挿して開閉体１０４ｆにより凹部１０４ｄを閉止することにより、リング紐４２ｂを紐保持部材１０４により保持させる。次にタッセル４２の一方のリング紐４２ｂが紐保持部材１０４により保持された一方の接続具１００の接続本体１０３を房掛け１１の柱状部１１ｂに遊嵌する（図２１（ａ）及び図２２（ａ））。上記以外の使用方法は第１の実施の形態と略同様であるので、繰返しの説明を省略する。またタッセル４２を房掛け１１から引き離す方向の所定値以上の荷重（例えば、２ｋｇ以上の荷重）がタッセル４２に作用すると、一対の接続具１００のうちのいずれか一方又は双方の接続具、この実施の形態では、一方の接続具１００の紐保持本体１０４ｅ又は開閉体１０４ｆのいずれか一方又は双方が弾性変形することにより、開閉体１０４ｆの先端が紐保持本体１０４ｅの凹溝１０４ｇから離脱するので、接続本体１０３及び紐保持部材１０４ｅが房掛け１１に残された状態で、タッセル４２が紐保持部材１０４から外れる（図２１（ｂ）及び図２２（ｂ））。上記以外の動作は第１の実施の形態と略同様であるので、繰返しの説明を省略する。
【００５２】
＜第１１の実施の形態＞
図２３及び図２４は本発明の第１１の実施の形態を示す。図２３及び図２４において図１及び図２と同一符号は同一部品を示す。この実施の形態では、接続本体１１３が無端のリング状に形成され、タッセル４２のリング紐４２ｂを解放可能に保持する紐保持部材１１４が接続本体１１３に取付けられる。上記接続本体１１３の内径は房掛け１１の柱状部１１ｂの直径より大きく形成され、これにより接続本体１１３は房掛け１１の柱状部１１ｂに遊嵌可能に構成される。また紐保持部材１１４は、接続本体１１３に連結部１１４ａを介して一体的に設けられた支持部１１４ｂと、支持部１１４ｂにピン１１４ｃを介して回動可能に取付けられ先端面及びこの先端面に隣接する面が開放された略直方体の箱状の紐保持本体１１４ｄと、中央が軸部１１４ｅを介して紐保持本体１１４ｄに回動可能に取付けられ中央から係止片１１４ｆ及び操作片１１４ｇが互いに反対方向に突設された回動部１１４ｈと、軸部１１４ｅに遊嵌された捩りコイルばね１１４ｉとを有する。回動部１１４ｈの係止片１１４ｆにはタッセル４２のリング紐４２ｂを係止可能に構成される。また回動部１１４ｈの操作片１１４ｇを操作することにより、係止片１１４ｆを紐保持本体１１４ｄ内から突出させることができるようになっている。更に捩りコイルばね１１４ｉは、係止片１１４ｆを紐保持本体１１４ｄ内に収容し、かつ操作片１１４ｇを紐保持本体１１４ｄから突出させるように回動部１１４ｈを付勢する。なお、図２４の符号１１４ｊは、係止片１１４ｆの紐保持本体１１４ｄ内への進入位置を規制するストッパである。具体的には、係止片１１４ｆにより紐保持本体１１４ｄの先端面を閉止した位置までの係止片１１４ｆの紐保持本体１１４ｄ内への進入を許容し、係止片１１４ｆのそれ以上の紐保持本体１１４ｄ内への進入を阻止するように構成される。上記タッセル４２は第４の実施の形態のタッセルと同一に構成され、それ以外は第１の実施の形態と同一に構成される。
【００５３】
このように構成された接続具１１０の使用方法及び動作を説明する。先ずタッセル４２両端の一対のリング紐４２ｂを一対の接続具１１０の紐保持部材１１４の係止片１１４ｆに係止することにより、リング紐４２ｂを紐保持部材１１４ｄにより保持させる。具体的には、紐保持部材１１４ｄの操作部１１４ｇを捩りコイルばね１１４ｉの弾性力に抗して操作することにより、係止片１１４ｆを紐保持部材１１４ｄから突出させ、この状態で係止片１１４ｆにリング紐４２ｂを係止する。そして操作部１１４ｇから手を離すと、係止片１１４ｆが捩りコイルばね１１４ｉの弾性力により紐保持本体１１４ｄの先端面を閉止する位置まで紐保持本体１１４ｄ内に進入する。これによりリング紐４２ｂを紐保持部材１１４ｄにより保持させることができる。次にタッセル４２の一方のリング紐４２ｂが紐保持部材１１４により保持された一方の接続具１１０の接続本体１１３を房掛け１１の柱状部１１ｂに遊嵌する（図２３（ａ）及び図２４（ａ））。上記以外の使用方法は第１の実施の形態と略同様であるので、繰返しの説明を省略する。またタッセル４２を房掛け１１から引き離す方向の所定値以上の荷重（例えば、２ｋｇ以上の荷重）がタッセル４２に作用すると、一対の接続具１１０のうちのいずれか一方又は双方の接続具、この実施の形態では、一方の接続具１１０の係止片１１４ｆが捩りコイルばね１１４ｉの弾性力に抗して紐保持本体１１４ｄから突出するので、接続本体１１３及び紐保持部材１１４ｄが房掛け１１に残された状態で、タッセル４２が紐保持部材１１４から外れる（図２３（ｂ）及び図２４（ｂ））。上記以外の動作は第１の実施の形態と略同様であるので、繰返しの説明を省略する。
【００５４】
＜第１２の実施の形態＞
図２５及び図２６は本発明の第１２の実施の形態を示す。図２５及び図２６において図１及び図２と同一符号は同一部品を示す。この実施の形態では、接続本体１２３が無端のリング状に形成され、タッセル４２のリング紐４２ｂを解放可能に保持する紐保持部材１２４が接続本体１２３に取付けられる。上記接続本体１２３の内径は房掛け１１の柱状部１１ｂの直径より大きく形成され、これにより接続本体１２３は房掛け１１の柱状部１１ｂに遊嵌可能に構成される。また紐保持部材１２４は、接続本体１２３から所定の間隔をあけて突設された一対の紐保持本体１２４ａ，１２４ｂと、これらの紐保持本体１２４ａ，１２４ｂのうち一方の紐保持本体１２４ａの先端に基端が枢着され先端に突片１２４ｃが突設された回動部１２４ｄと、他方の紐保持本体１２４ｂの先端に形成され突片１２４ｃが離脱可能に係止する凹部１２４ｅとを有する。上記タッセル４２は第４の実施の形態のタッセルと同一に構成され、それ以外は第１の実施の形態と同一に構成される。
【００５５】
このように構成された接続具１２０の使用方法及び動作を説明する。先ずタッセル４２両端の一対のリング紐４２ｂを一対の接続具１２０の紐保持部材１２４により保持させる。具体的には、紐保持部材１２４の回動部１２４ｄにリング紐４２ｂを引っ掛けた後、回動部１２４ｄ先端の突片１２４ｃを他方の紐保持本体１２４ｂ先端の凹部１２４ｅに係止する。これによりリング紐４２ｂを紐保持部材１２４により保持させることができる。上記以外の使用方法は第１の実施の形態と略同様であるので、繰返しの説明を省略する。またタッセル４２を房掛け１１から引き離す方向の所定値以上の荷重（例えば、２ｋｇ以上の荷重）がタッセル４２に作用すると、一対の接続具１２０のうちのいずれか一方又は双方の接続具、この実施の形態では、一方の接続具１２０の回動部１２４ｄ先端の突片１２４ｃが他方の紐保持本体１２４ｂ先端の凹部１２４ｅから離脱するので、接続本体１２３及び紐保持部材１２４が房掛け１１に残された状態で、タッセル４２が紐保持部材１２４から外れる（図２５（ｂ）及び図２６（ｂ））。上記以外の動作は第１の実施の形態と略同様であるので、繰返しの説明を省略する。
【００５６】
＜第１３の実施の形態＞
図２７及び図２８は本発明の第１３の実施の形態を示す。図２７及び図２８において図１及び図２と同一符号は同一部品を示す。この実施の形態では、接続本体１３３がリング状に形成され、タッセル４２のリング紐４２ｂを解放可能に保持する紐保持部材１３４が接続本体１３３と一体的に設けられる。上記接続本体１３３は弾性変形可能に構成され、接続本体１３３の内径が房掛け１１の柱状部１１ｂの直径より大きく形成されることにより、接続本体１１３は房掛け１１の柱状部１１ｂに遊嵌可能に構成される。また紐保持部材１３４は、この紐保持部材１３４の構成部品として機能する上記接続本体１３３と、この接続本体１３３に形成された単一の切離し部１３４ａと、この切離し部１３４ａの両端に設けられた一対の球体１３４ｂ，１３４ｂとを有する。即ち、接続本体１３３は紐保持部材１３４の構成部品を兼ねる。更に接続本体１３３が略Ｃ字状の装飾部材１３６に嵌着される。具体的には、装飾部材１３６の外周面に凹溝１３６ａが形成され、この凹溝１３６ａに接続本体１３３が嵌着される。接続本体１３３及び一対の球体１３３ｂ，１３３ｂはプラスチックにより一体的に形成される。装飾部材１３６はプラスチックにより形成されるとともに、意匠性を向上するために表面にメッキや塗装などによる着色が施される。上記タッセル４２は第４の実施の形態のタッセルと同一に構成され、それ以外は第１の実施の形態と同一に構成される。
【００５７】
このように構成された接続具１３０の使用方法及び動作を説明する。先ずタッセル４２両端の一対のリング紐４２ｂを一対の接続具１３０の紐保持部材１３４により保持させる。具体的には、紐保持部材１３４の構成部品として機能する接続本体１３３の切離し部１３４ａの両端を広げて、この紐保持部材１３４の構成部品として機能する接続本体１３３にリング紐４２ｂを遊挿する。これによりリング紐４２ｂを紐保持部材１３４により保持させることができる。上記以外の使用方法は第１の実施の形態と略同様であるので、繰返しの説明を省略する。またタッセル４２を房掛け１１から引き離す方向の所定値以上の荷重（例えば、２ｋｇ以上の荷重）がタッセル４２に作用すると、一対の接続具１３０のうちのいずれか一方又は双方の接続具、この実施の形態では、一方の接続具１３０の紐保持部材１３４の構成部品として機能する接続本体１３３が弾性変形して、切離し部１３４ａの両端である一対の球体１３４ｂ，１３４ｂが離れ、これらの球体１３４ｂ，１３４ｂ間の隙間からタッセル４２が抜けるので、接続本体１３３及び紐保持部材１３４が房掛け１１に残された状態で、タッセル４２が紐保持部材１３４から外れる（図２７（ｂ）及び図２８（ｂ））。上記以外の動作は第１の実施の形態と略同様であるので、繰返しの説明を省略する。
【００５８】
＜第１４の実施の形態＞
図２９及び図３０は本発明の第１４の実施の形態を示す。図２９及び図３０において図１及び図２と同一符号は同一部品を示す。この実施の形態では、接続本体１４３がリング状に形成され、タッセル４２のリング紐４２ｂを解放可能に保持する紐保持部材１４４が接続本体１４３と一体的に設けられる。上記接続本体１４３の内径は房掛け１１の柱状部１１ｂの直径より大きく形成され、これにより接続本体１４３は房掛け１１の柱状部１１ｂに遊嵌可能に構成される。また紐保持部材１４４は、基端が接続本体１４３に間隔をあけて突設され先端が互いに近付く方向に湾曲する一対の紐保持本体１４４ａ，１４４ａと、これらの紐保持本体１４４ａ，１４４ａの先端にそれぞれ設けられた一対の球体１４４ｂ，１４４ｂとを有する。一対の球体１４４ｂ，１４４ｂは、接続具１４０に荷重が作用していない状態で互いに当接するように構成される。また接続本体１４３が無端のリング状の装飾部材１４６に嵌着される。具体的には、装飾部材１４６の外周面に凹溝１４６ａが形成され、この凹溝１４６ａに接続本体１４３が嵌入される。接続本体１４３及び一対の球体１４４ｂ，１４４ｂはプラスチックにより一体的に形成される。装飾部材１４６はプラスチックにより形成されるとともに、意匠性を向上するために表面にメッキや塗装などによる着色が施される。更に接続本体１４３には単一の切離し部１４３ａが設けられる。この切離し部１４３ａは接続本体１４３のうち一対の紐保持本体１４４ａ，１４４ａの基端が接続された部分の間に形成され、接続本体１４３を弾性変形させて、接続本体１４３に装飾部材１４６に嵌着するために設けられる。上記タッセル４２は第４の実施の形態のタッセルと同一に構成され、それ以外は第１の実施の形態と同一に構成される。
【００５９】
このように構成された接続具１４０の使用方法及び動作を説明する。先ずタッセル４２両端の一対のリング紐４２ｂを一対の接続具１４０の紐保持部材１４４により保持させる。具体的には、一対の紐保持本体１４４ａ，１４４ａの弾性力に抗して一対の球体１４４ｂ，１４４ｂを離し、これらの球体１４４ｂ，１４４ｂ間の隙間からリング紐４２ｂを遊挿する。これによりリング紐４２ｂを紐保持部材１４４により保持させることができる。上記以外の使用方法は第１の実施の形態と略同様であるので、繰返しの説明を省略する。またタッセル４２を房掛け１１から引き離す方向の所定値以上の荷重（例えば、２ｋｇ以上の荷重）がタッセル４２に作用すると、一対の接続具１４０のうちのいずれか一方又は双方の接続具、この実施の形態では、一方の接続具１４０の一対の紐保持本体１４４ａ，１４４ａが弾性変形して、一対の球体１４４ｂ，１４４ｂが離れ、これらの球体１４４ｂ，１４４ｂ間の隙間からタッセル４２が抜けるので、接続本体１４３及び紐保持部材１４４が房掛けに残された状態で、タッセル４２が紐保持部材１４４から外れる（図２９（ｂ）及び図３０（ｂ））。上記以外の動作は第１の実施の形態と略同様であるので、繰返しの説明を省略する。
【００６０】
＜第１５の実施の形態＞
図３１及び図３２は本発明の第１５の実施の形態を示す。図３１及び図３２において図１及び図２と同一符号は同一部品を示す。この実施の形態では、接続本体１５３を備えた接続具１５０がタッセル１５２の両端に縫い付けられる。具体的には、接続具１５０が、弾性変形可能なリング状に形成された接続本体１５３と、この接続本体１５３と一体的に設けられた略矩形板状の縫製部１５４とを備える。接続本体１５３は房掛け１１の柱状部１１ｂに遊嵌可能に構成され、接続本体１５３にタッセル１５２のリング紐１５２ｂが遊挿可能に構成される。また接続本体１５３は単一の切離し部１５３ａを有する。この接続本体１５３に荷重が作用していないとき、切離し部１５３ａの両端は互いに当接した状態に保たれる。また接続本体１５３に切離し部１５３ａの両端を引き離す方向の荷重が作用すると、接続本体１５３が弾性変形して切離し部１５３の両端が離れ、上記荷重を取り除くと、接続本体１５３の弾性力により互いに近付いて接続本体１５３がリング状に復帰するように構成される。更に接続具１５３は軟質のプラスチックに形成され、縫製部１５４がタッセル１５２の両端に縫い付けられる。なお、図３１及び図３２中の符号１５６は縫製部１５４をタッセル１５２に縫い付けた糸である。上記以外は第１の実施の形態と同一に構成される。
【００６１】
このように構成された接続具１５０付きのタッセル１５２の使用方法及び動作を説明する。先ずタッセル１５２の一端に縫い付けられた接続具１５０の接続本体１５３を房掛け１１の柱状部１１ｂに遊嵌する（図３１（ａ）及び図３２（ａ））。次にタッセル１５２をカーテンに巻き付ける。この状態でタッセル１５２の他端に縫い付けられた接続具（図示せず）の接続本体を房掛け１１の柱状部１１ｂに遊嵌する。このときタッセル１５２は比較的弛んだ状態でカーテンを束ねているため、子供や老人などにタッセル１５２が絡みつく場合がある。この状態でタッセル１５２を房掛け１１から引き離す方向の所定値以上の荷重（例えば、２ｋｇ以上の荷重）がタッセル１５２に作用すると、一対の接続具１５０のうちのいずれか一方又は双方の接続具、この実施の形態では、一方の接続具１５０の切離し部１５３ａの両端が房掛け１１の柱状部１１ｂの外周面に沿って互いに離れる方向に弾性変形する。このため、上記接続具１５０がタッセル１５２とともに房掛け１１から外れる（図３１（ｂ）及び図３２（ｂ））。この結果、タッセル１５２のリング状態を確実に解除できるので、子供や老人などをタッセル１５２の絡みつきから速やかに解放できる。また接続具１５０がタッセル１５２とともに房掛け１１から外れて、接続具１５０が房掛け１１から離れると、接続具１５０の接続本体１５３の切離し部１５３ａ両端が接続本体１５３の弾性力により互いに近付いて、接続本体１５３がリング状に復帰するので、接続具１５０付きタッセル１５２を何回でも繰返し使用できる。
【００６２】
＜第１６の実施の形態＞
図３３〜図３７は本発明の第１６の実施の形態を示す。図３３〜図３７において図１及び図２と同一符号は同一部品を示す。この実施の形態では、接続本体１６３が略Ｃ字状に形成され、タッセル１２のリング紐１２ｂを解放可能に保持する紐保持部材１６４が接続本体１６３と一体的に設けられる。上記接続本体１６３の内径は第１房掛け１１の柱状部１１ｂの直径より大きく形成され、これにより接続本体１６３は第１房掛け１１の柱状部１１ｂに遊嵌可能に構成される（図３３及び図３４）。ここで、第１房掛け１１は、第１の実施の形態の房掛けと同一形状に形成される。
【００６３】
また接続本体１６３は第２房掛け１６２の水平部１６２ｃに遊嵌可能に構成される。この第２房掛け１６２は、図３６及び図３７に詳しく示すように、壁又は窓枠に取付けられる取付部１６２ａと、接続本体１６３の内径より大径の円盤状に形成された円盤状部１６２ｂと、取付部１６２ａと円盤状部１６２ｂとを連結し横断面における対角長さが接続本体１６３の内径より小さい四角柱状の水平部１６２ｃとを有する。略Ｃ字状の接続本体１６３の両端の間隔は第２房掛け１６２の水平部１６２ｃの横断面における対角長さより小さく形成される。このため接続本体１６３の上記間隔が第２房掛け１６２の水平部１６２ｃの横断面における対角長さより大きくなるように接続本体１６３を弾性変形させることにより、接続本体１６３が水平部１６２ｃに遊嵌される。
【００６４】
一方、紐保持部材１６４は、略Ｕ字状に形成され、その基端が接続本体１６３の略中央に接続される。これにより接続本体１６３及び紐保持部材１６４は略ε字状に形成される（図３３）。また紐保持部材１６４の先端には係合凹部１６４ａが形成される。また接続本体１６３の一端には小径の係合軸部１６３ａを介してこの係合軸部１６３ａより大径のストッパ１６３ｂが設けられ、接続本体１６３の他端はストッパ１６３ｂから間隔をあけるために外側に屈曲して形成される。上記紐保持部材１６４の係合凹部１６４ａは接続本体１６３の係合軸部１６３ａに離脱可能に係合するように構成される。なお、上記ストッパ１６３ｂは係合凹部１６４ａが係合軸部１６３ａの軸方向に抜けるのを阻止するために設けられる。上記以外は第１の実施の形態と同一に構成される。
【００６５】
このように構成された接続具１６０の使用方法及び動作を説明する。
【００６６】
（１）  タッセル１２を第１房掛け１１に接続具１６０を介して接続する場合
先ずタッセル１２両端の一対のリング紐１２ｂを一対の接続具１６０の紐保持部材１６４により保持させる。具体的には、略Ｕ字状の紐保持部材１６４にリング紐１２ｂを引っ掛けた後、紐保持部材１６４の係合凹部１６４ａを接続本体１６３の係合軸部１６３ａに係合する（図３５）。これによりリング紐１２ｂを紐保持部材１６４により保持させることができる。次にタッセル１２の一方のリング紐１２ｂが遊挿された一方の接続具１６０の接続本体１６３を第１房掛け１１の柱状部１１ｂに遊嵌する（図３３（ａ）及び図３４（ａ））。更にタッセル１２の房部１２ａをカーテンに巻き付けた後に、タッセル１２の他方のリング紐（図示せず）が遊挿された他方の接続具（図示せず）の接続本体を第１房掛け１１の柱状部１１ｂに遊嵌する。一方、タッセル１２を第１房掛け１１から引き離す方向の所定値以上の荷重（例えば、２ｋｇ以上の荷重）がタッセル１２に作用すると、一対の接続具１６０のうちのいずれか一方又は双方の接続具１６０、この実施の形態では、一方の接続具１６０の紐保持部材１６４の係合凹部１６４ａが弾性変形して接続本体１６３の係合軸部１６３ａから離脱するので、接続本体１６３及び紐保持部材１６４が第１房掛け１１に残された状態で、タッセル１２が紐保持部材１６４から外れる（図３３（ｂ）〜（ｄ）、図３４（ｂ）〜（ｄ）及び図３６）。
【００６７】
（２）  タッセル１２を第２房掛け１６２に接続具１６０を介して接続する場合
先ずタッセル１２両端の一対のリング紐１２ｂを一対の接続具１６０の紐保持部材１６４により保持させる。具体的には、略Ｕ字状の紐保持部材１６４にリング紐１２ｂを引っ掛けた後、紐保持部材１６４の係合凹部１６４ａを接続本体１６３の係合軸部１６３ａに係合する（図３５）。これによりリング紐１２ｂを紐保持部材１６４により保持させることができる。次にタッセル１２の一方のリング紐１２ｂが遊挿された一方の接続具１６０の接続本体１６３を第２房掛け１６２の水平部１６２ｃに遊嵌する（図３７（ａ））。更にタッセル１２の房部１２ａをカーテンに巻き付けた後に、タッセル１２の他方のリング紐（図示せず）が遊挿された他方の接続具（図示せず）の接続本体を第２房掛け１６２の水平部１６２ｃに遊嵌する。一方、タッセル１２を第２房掛け１６２から引き離す方向の所定値以上の荷重（例えば、２ｋｇ以上の荷重）がタッセル１２に作用すると、一対の接続具１６０のうちのいずれか一方又は双方の接続具１６０、この実施の形態では、一方の接続具１６０の紐保持部材１６４の係合凹部１６４ａが弾性変形して接続本体１６３の係合軸部１６３ａから離脱するので、接続本体１６３及び紐保持部材１６４が第２房掛け１６２に残された状態で、タッセル１２が紐保持部材１６４から外れる（図３７（ｂ））。このようにタッセル１２を種々の形状の房掛け１１，１６２に単一形状の接続具１６０を介して接続できる。上記以外の動作は第１の実施の形態と略同様であるので、繰返しの説明を省略する。
【符号の説明】
【００６８】
１０，２０，３０，４０，５０，６０，７０，８０，９０，１００，１１０，１２０，１３０，１４０，１５０，１６０  接続具
１１，１６２  房掛け
１２，４２，１５２  タッセル
１２ｂ，４２ｂ  リング紐
１３，２３，３３，４３，５３，６３，７３，８３，９３，１０３，１１３，１２３，１３３，１４３，１５３，１６３  接続本体
１３ａ，２３ａ，３３ａ，４３ａ，５３ａ，６３ａ，７３ａ，１５３ａ  切離し部
２４，３４，４４，５４，６４，７４  紐遊挿部
７９  荷重調整装置
８４，９４  被係止部材
８６，９６  係止部材
１０４，１１４，１２４，１３４，１４４，１６４  紐保持部材
１５４  縫製部
【図１】
2015142704.tif 000003
【図２】
2015142704.tif 000004
【図３】
2015142704.tif 000005
【図４】
2015142704.tif 000006
【図５】
2015142704.tif 000007
【図６】
2015142704.tif 000008
【図７】
2015142704.tif 000009
【図８】
2015142704.tif 000010
【図９】
2015142704.tif 000011
【図１０】
2015142704.tif 000012
【図１１】
2015142704.tif 000013
【図１２】
2015142704.tif 000014
【図１３】
2015142704.tif 000015
【図１４】
2015142704.tif 000016
【図１５】
2015142704.tif 000017
【図１６】
2015142704.tif 000018
【図１７】
2015142704.tif 000019
【図１８】
2015142704.tif 000020
【図１９】
2015142704.tif 000021
【図２０】
2015142704.tif 000022
【図２１】
2015142704.tif 000023
【図２２】
2015142704.tif 000024
【図２３】
2015142704.tif 000025
【図２４】
2015142704.tif 000026
【図２５】
2015142704.tif 000027
【図２６】
2015142704.tif 000028
【図２７】
2015142704.tif 000029
【図２８】
2015142704.tif 000030
【図２９】
2015142704.tif 000031
【図３０】
2015142704.tif 000032
【図３１】
2015142704.tif 000033
【図３２】
2015142704.tif 000034
【図３３】
2015142704.tif 000035
【図３４】
2015142704.tif 000036
【図３５】
2015142704.tif 000037
【図３６】
2015142704.tif 000038
【図３７】
2015142704.tif 000039